(57)【要約】【課題】面ファスナーの掛け違いが生じることが少なくすることによって、乳幼児や高齢者などであっても容易に着用可能な衣服を提供することである。【解決手段】前身頃のあわせ部分の一方１２に面ファスナーの一方１４Ａ、１４Ｂ・・・が二以上配列されており、前身頃のあわせ部分の他方１６の前記面ファスナーの一方に対向する位置に、前記面ファスナーの一方に脱着可能な面ファスナーの他方１８Ａ、１８Ｂ・・・が二以上配列された衣服において、前記面ファスナーの一方は、互いに異なる色からなり、前記面ファスナーの他方は、対向する面ファスナーの一方それぞれと同色であることを特徴とする。【選択図】図１
0003128235.tif 000002
【実用新案登録請求の範囲】
【請求項１】
前身頃のあわせ部分の一方に面ファスナーの一方が二以上配列されており、前身頃のあわせ部分の他方の前記面ファスナーの一方に対向する位置に、前記面ファスナーの一方に脱着可能な面ファスナーの他方が二以上配列された衣服において、
前記面ファスナーの一方は、互いに異なる色からなり、前記面ファスナーの他方は、対向する面ファスナーの一方それぞれと同色であることを特徴とする衣服。
【請求項２】
前記前身頃のあわせ部分の一方又は他方の前記面ファスナーの間には、少なくとも一以上の衣服係脱片の一方が設けられ、前記前身頃のあわせ部分の前記衣服係脱片の一方に対向する位置には、前記衣服係脱片の一方が掛け合わせ可能な衣服係脱片の他方が設けられていることを特徴とする請求項１記載の衣服。
【請求項３】
前記前身頃のあわせ部分の被せられる方には、その縁から少なくとも面ファスナーの幅方向の長さを置いて、面ファスナーが設けられていることを特徴とする請求項１又は２記載の衣服。
【請求項４】
前記面ファスナーは、下地と異なる色からなることを特徴とする請求項１乃至３いずれか記載の衣服。
【考案の詳細な説明】
【技術分野】
【０００１】
本考案は、乳幼児や高齢者などが容易に着用することが可能な衣服に関する。
【背景技術】
【０００２】
従来から、乳幼児や高齢者などに着用させるために、前身頃のあわせ部分を通常のボタンで掛け合わせるのではなく、一対の面ファスナーを設けている衣服がある。すなわち、このような衣服は、前身頃のあわせ部分の一方に面ファスナーの一方が二以上配列されており、前身頃のあわせ部分の他方の前記面ファスナーの一方に対向する位置に、前記面ファスナーの一方に脱着可能な面ファスナーの他方が二以上配列されている。
【考案の開示】
【考案が解決しようとする課題】
【０００３】
しかしながら、従来のこの種の衣服は、面ファスナーの掛け違いが生じやすいという問題がある。そこで、本考案は、面ファスナーの掛け違いが生じることが少なくすることによって、乳幼児や高齢者などであっても容易に着用可能な衣服を提供することを目的とする。
【課題を解決するための手段】
【０００４】
以上の目的を達成するため、本発明は、前身頃のあわせ部分の一方に面ファスナーの一方が二以上配列されており、前身頃のあわせ部分の他方の前記面ファスナーの一方に対向する位置に、前記面ファスナーの一方に脱着可能な面ファスナーの他方が二以上配列された衣服において、前記面ファスナーの一方は、互いに異なる色からなり、前記面ファスナーの他方は、対向する面ファスナーの一方それぞれと同色であることを特徴とする。
【０００５】
このように、本考案に係る衣服は、前記面ファスナーの一方が、互いに異なる色からなり、前記面ファスナーの他方が、対向する面ファスナーの一方それぞれと同色であるので、面ファスナーを閉じる際に、それぞれ同色の面ファスナー同士を組み合わせれば、掛け違いを防止でき、乳幼児や高齢者などであっても容易に着用させることができる。
【０００６】
本考案に係る衣服において、前記前身頃のあわせ部分の一方又は他方の前記面ファスナーの間には、少なくとも一以上の衣服係脱片の一方が設けられ、前記前身頃のあわせ部分の前記衣服係脱片の一方に対向する位置には、前記衣服係脱片の一方が掛け合わせ可能な衣服係脱片の他方が設けられていることが好ましい。このように面ファスナーの間に衣服係脱片を設けることによって、容易に外れ易い面ファスナーを補填することができる。すなわち、面ファスナーは、それ自体が外れ易く、また洗濯を繰り返すことにより、貼着力が弱くなり、さらに外れ易くなるが、このように衣服係脱片と併用することによって、容易に外れ難くすることができる。また面ファスナーと衣服係脱片を併用することによって、乳幼児に対する段階的な教育や高齢者に対する段階的なリハビリなどを行なうことができる。この衣服係脱片としては、ボタンやホックなどを用いることができる。
【０００７】
また、本考案に係る衣服において、前記前身頃のあわせ部分の被せられる方には、その縁から少なくとも面ファスナーの幅方向の長さを置いて、面ファスナーが設けられていることが好ましい。この被せられる方の縁からほとんど間隔を空けずに面ファスナーを設けた場合、被せる方の前身頃の面ファスナーがずれて貼着されると、前身頃のあわせ部分の内側に面ファスナーが表面化して、着用者の肌を傷付けてしまうことがあるが、本考案のように縁から少なくとも面ファスナーの幅方向の長さを置いて面ファスナーを設けることによって、面ファスナーがずれて貼着されても、前身頃のあわせ部分の内側に面ファスナーが表面化することはなく、着用者の肌を傷付けることもない。
【０００８】
さらに、前記面ファスナーは、下地と異なる色からなることが好ましく、面ファスナーの色を下地と異ならせることによって、容易に面ファスナーを認識できるので、高齢者や乳幼児であっても容易に着用させることができる。
【考案の効果】
【０００９】
そこで、本考案は、面ファスナーの掛け違いが生じることが少なくすることによって、乳幼児や高齢者などであっても容易に着用可能な衣服を提供することができる。
【考案を実施するための最良の形態】
【００１０】
次に、本考案に係る衣服の実施例について図面に基づいて説明する。図１は、本実施例に係る衣服の正面図である。本実施例に係る衣服１０は、前身頃のあわせ部分の一方１２の縁に沿って５つ配列されて設けられた面ファスナーの一方１４Ａ、１４Ｂ、１４Ｃ、１４Ｄ、１４Ｅと、前身頃のあわせ部分の他方１６の縁に沿って５つ配列されて設けられた面ファスナーの他方１８Ａ、１８Ｂ、１８Ｃ、１８Ｄ、１８Ｅと、前身頃のあわせ部分の他方１６の面ファスナー１８Ａ及び１８Ｂの間、並びに面ファスナー１８Ｄ及び１８Ｅの間それぞれに設けられたボタン２０Ａ、２０Ｂと、前身頃のあわせ部分の一方１２の面ファスナー１４Ａ及び１４Ｂの間、並びに面ファスナー１４Ｄ及び１４Ｅの間それぞれに設けられたボタンホール２２Ａ、２２Ｂと、を備えている。
【００１１】
面ファスナーの一方１４Ａ、１４Ｂ、１４Ｃ、１４Ｄ、１４Ｅ、並びに面ファスナーの他方１８Ａ、１８Ｂ、１８Ｃ、１８Ｄ、１８Ｅは、互いに貼着可能に構成されており、例えばベトクロファスナー（登録商標）などがある。面ファスナーの他方１８Ａ、１８Ｂ、１８Ｃ、１８Ｄ、１８Ｅそれぞれは、面ファスナーの一方１４Ａ、１４Ｂ、１４Ｃ、１４Ｄ、１４Ｅの対向する位置に設けられている。面ファスナーの一方１４Ａ、１４Ｂ、１４Ｃ、１４Ｄ、１４Ｅそれぞれは、下地と異なり、かつ互いに異なる色で構成されており、面ファスナーの他方１８Ａ、１８Ｂ、１８Ｃ、１８Ｄ、１８Ｅそれぞれは、対向する面ファスナーの一方１４Ａ、１４Ｂ、１４Ｃ、１４Ｄ、１４Ｅそれぞれと同色に構成されている。
【００１２】
また、本実施例に係る衣服において、前身頃のあわせ部分の被せられる方、すなわち前身頃のあわせ部分の他方１６に設けられた面ファスナーの他方１８Ａ、１８Ｂ、１８Ｃ、１８Ｄ、１８Ｅは、その縁からその面ファスナーの幅方向の長さを置いて設けられている。すなわち、図２に示すように面ファスナーの幅方向の長さａと縁からの長さｂが同じに構成されている。
【００１３】
各ボタンホール２２Ａ、２２Ｂは、各ボタン２０Ａ、２０Ｂが掛け合わせ可能に形成されており、また各ボタン２０Ａ、２０Ｂに対向する位置に設けられている。
【図面の簡単な説明】
【００１４】
【図１】本考案に係る衣服の実施例の正面図である。
【図２】本実施例に係る衣服の拡大正面図である。
【符号の説明】
【００１５】
１２   前身頃のあわせ部分の一方
１４Ａ、１４Ｂ・・・        面ファスナーの一方
１６   前身頃のあわせ部分の他方
１８Ａ、１８Ｂ・・・        面ファスナーの他方
【図１】
0003128235.tif 000003
【図２】
0003128235.tif 000004